(57)【要約】【課題】ロック解除の際、指先を挟む恐れがなく、引出しの上方から両手を延ばし、且つ不自然な姿勢を取ることなくロックを解除して引出し式収納庫を引き戸棚本体に押し入れることができるロック解除機能付き踏み台兼用引出し式収納庫を提供することを目的とする。【解決手段】ロック解除機能付き踏み台兼用引出し式収納庫において、引き戸棚本体から引出し可能にスライドレールで支持され、下面にキャスターを取付けた引出し式収納庫と、前記引出し式収納庫の上面の一端に開閉自在に連結される踏み板と、前記引出し式収納庫を引出した状態に保持する前記スライドレールに設置されるロック機構と、前記ロック機構を解除するロック解除機構とを有し、前記ロック解除機構は、前記スライドレールの先端に備えたロック解除バーを前記引出し式収納庫の上方に引上げることでロック状態を解除することを特徴とする。【選択図】      図１
2004298433.tif 000002
【特許請求の範囲】
【請求項１】
引き戸棚本体から引出し可能にスライドレールで支持され、下面にキャスターを取付けた引出し式収納庫と、前記引出し式収納庫の上面の一端に開閉自在に連結される踏み板と、前記引出し式収納庫を引出した状態に保持する前記スライドレールに設置されるロック機構と、前記ロック機構を解除するロック解除機構とを有し、前記ロック解除機構は、前記スライドレールの先端に備えたロック解除バーを前記引出し式収納庫の上方に引上げることでロック状態を解除することを特徴とするロック解除機能付き踏み台兼用引出し式収納庫。
【請求項２】
前記ロック解除バーは、手掛け部と作用部とをほぼＬ字形に配置し、前記手掛け部は前記引出し式収納庫の前面パネル近傍の側面パネル上部に設けることを特徴とする請求項１に記載のロック解除機能付き踏み台兼用引出し式収納庫。
【請求項３】
前記ロック解除バーの手掛け部先端に指を掛け止めする曲線状指掛け部を形成することを特徴とする請求項１又は２に記載のロック解除機能付き踏み台兼用引出し式収納庫。
【発明の詳細な説明】
【０００１】
【発明の属する技術分野】
本発明は、システムキッチン等に装備されるロック解除機能付き踏み台兼用引出し式収納庫に関する。
【０００２】
【従来の技術】
特開２００３−９９７０号公報には、引き戸棚本体から引出し可能にアウターレールとインナーレールから成るスライドレール機構で支持される引出し式収納庫と、前記引出し式収納庫の上面の一端にヒンジ連結された踏み板と、前記引出し式収納庫を引出した状態に保持する前記スライドレール機構に設置されるロック機構と、前記ロック機構を解除するロック解除機構とを有し、前記ロック解除機構は、アウターレールとインナーレールとの間に設置され、アウターレール前端から僅かに突出する揺動レバーの回動により行われるようにしたロック解除機能付き踏み台兼用引出し式収納庫が開示されている。
【０００３】
【特許文献１】
特開２００３−９９７０号公報
【０００４】
【発明が解決しようとする課題】
しかし、従来例のロック解除機能付き踏み台兼用引出し式収納庫においては、引き戸棚本体から完全に引出されロック状態にある引出し式収納庫をロック状態を解除し押し入れる場合、アウターレール前端から僅かに突出している揺動レバーを指先で押し上げて引出し式収納庫を押し込むため、指先を挟む危険があり、前屈みの不自然な姿勢で足により押し込む必要があった。
【０００５】
本発明は、上記従来技術の問題点を解決する、ロック解除の際、指先を挟む恐れがなく、引出しの上方から両手を延ばし、且つ不自然な姿勢を取ることなくロックを解除して引出し式収納庫を引き戸棚本体に押し入れることができるロック解除機能付き踏み台兼用引出し式収納庫を提供することを目的とする。
【０００６】
【課題を解決するための手段】
本第１発明は、ロック解除機能付き踏み台兼用引出し式収納庫において、引き戸棚本体から引出し可能にスライドレールで支持され、下面にキャスターを取付けた引出し式収納庫と、前記引出し式収納庫の上面の一端に開閉自在に連結される踏み板と、前記引出し式収納庫を引出した状態に保持する前記スライドレールに設置されるロック機構と、前記ロック機構を解除するロック解除機構とを有し、前記ロック解除機構は、前記スライドレールの先端に備えたロック解除バーを前記引出し式収納庫の上方に引上げることでロック状態を解除することを特徴とする。
【０００７】
本第２発明は、本第１発明のロック解除機能付き踏み台兼用引出し式収納庫において、前記ロック解除バーは、手掛け部と作用部とをほぼＬ字形に配置し、前記手掛け部は前記引出し式収納庫の前面パネル近傍の側面パネル上部に設けることを特徴とする。
【０００８】
本第３発明は、本第１又は第２発明のロック解除機能付き踏み台兼用引出し式収納庫において、前記ロック解除バーの手掛け部の先端に指を掛け止めする曲線状指掛け部を形成することを特徴とする。
【０００９】
【作用】
本発明は引き戸棚本体から引出し可能にスライドレールで支持され、下面にキャスターを取付けた引出し式収納庫と、前記引出し式収納庫の上面の一端に開閉自在に連結される踏み板と、前記引出し式収納庫を引出した状態に保持する前記スライドレールに設置されるロック機構を備える構成により、システムキッチン等に装備され、高い棚部に収納された食器等を取り出す場合、引出しが容易で、安定した踏み台として機能し、更に、踏み板を開閉することにより収納庫としても機能するので、使い勝手のよい引出し式収納庫を提供できる。
また、ロック解除機構は、前記スライドレールの先端に備えたロック解除バーを前記引出し式収納庫の上方に引上げることでロック状態を解除する構成とすることにより、ロック解除の際、指先を挟む恐れがなく、引出しの上方から両手を延ばし、且つ不自然な姿勢を取ることなくロックを解除して引出し式収納庫を引き戸棚本体に押し入れることが可能となる。
また、ロック解除バーは、手掛け部と作用部とをほぼＬ字形に配置し、前記手掛け部は前記引出し式収納庫の前面パネル近傍の側面パネル上部に設ける構成により、シンプルな構成のロック解除機構を提供でき、ロック解除の際、指先を挟む恐れがなく、引出しの上方から両手を延ばし、且つ不自然な姿勢を取ることなくロックを解除して引出し式収納庫を引き戸棚本体に押し入れることが可能となる。
さらに、ロック解除バーの手掛け部の先端に曲線状の指掛け部を形成する構成により、ロック解除の際、指先がロック解除バーに確実に且つ容易に掛かり指先を挟む恐れがなく、引出しの上方から両手を延ばし、且つ不自然な姿勢を取ることなくロックを解除して引出し式収納庫を引き戸棚本体に押し入れることが可能となる。
【００１０】
【発明の実施の形態】
本発明の実施の形態を図により説明する。図１は、本発明のロック解除機能付き踏み台兼用引出し式収納庫をシステムキッチンの収納棚に組み込んだ一実施形態の概略図、図２はその一部側面図、図３は一部正面図、図４は、スライドレールの一実施形態を示す図、図５〜図７は、ロック解除機構の実施形態を示す図、図８及び図９は、ロック機構の一実施形態を示す図である。
【００１１】
図１〜図３に示されるように、システムキッチンの収納棚２の下部の引き戸棚本体３から引出し可能にスライドレール４で支持され、下面にキャスター５を取付けたロック解除機能付き踏み台兼用引出し式収納庫１は、その上面の一端に踏み板６が開閉自在にヒンジ連結される。尚、開閉自在にする機構は、ヒンジに限らずダンパー等、これに代替するものであれば良い。
収納棚２の高い位置に収納された食器を取り出すような場合、ロック解除機能付き踏み台兼用引出し式収納庫１を引き戸棚本体３から完全に引出し、ロック機構によりその状態を保持し、踏み板６を踏み台として利用する。
【００１２】
ロック解除機能付き踏み台兼用引出し式収納庫１は、前面パネル７と側壁パネル８、９と後面パネル１０と底面パネル１１とを有し、底面パネル１１に複数のキャスター５が取付けられ、後面パネル１０に踏み板６がヒンジ連結される。
踏み板６の手前を上方に押し上げて開くと、内側が収納庫になっている。
【００１３】
図４に示されるように、ロック解除機能付き踏み台兼用引出し式収納庫１を支持するスライドレール４は、引き戸棚本体３に固定される固定レール１２と、固定レール１２に引出し可能に取付けられる中間レール１３と、中間レール１３に引出し可能に取付けられ、側壁パネル８、９に固定される支持レール１４とにより構成される。
固定レール１２と中間レール１３との間には第１ロック機構１５が設置され、中間レール１３が固定レール１２から完全に引出されると、第１ロック機構１５が働き、中間レール１３と固定レール１２とをロックする。
中間レール１３と支持レール１４との間には、第２ロック機構１６が設置され、支持レール１４が中間レール１３から完全に引出されると、第のロック機構１６が働き、支持レール１４と中間レール１３とをロックする。
【００１４】
図５（ａ）（ｂ）（ｃ）に示されるように、第１ロック機構１５は、中間レール１３の後端に支持軸１７により回動自在に取付けられるロック金具１８を備え、固定レール１２の前端には傾斜面とストッパーを有する案内突起１９が形成される。中間レール１３が固定レール１２から引出されると、ロック金具１８が案内突起１９の傾斜面に当接して時計方向に回転し、中間レール１３が固定レール１２から完全に引出されると、ロック金具１８が案内突起１９のストッパーと当接してロックされる。
【００１５】
図６（ａ）（ｂ）（ｃ）に示されるように、第２ロック機構１６は、支持レール１４の後端に固定される弾性を有する金属板等からなるロック用プレート２０と、中間レール１３の前端に形成される係合突起２１を有し、ロック用プレート２０には、係合開口２２を形成する。支持レール１４が中間レール１３から引出されると、支持レール１４に固定したロック用プレート２０の係合開口２２が中間レール１３の係合突起２１と係合しロックされる。
【００１６】
ロック解除機構２３は、支持レール１４にスライド自在に取付けられ、スプリング（図示せず）により支持レール１４の前面パネル７側に付勢されたロック解除プレート２４を有する。ロック解除プレート２４の後端は支持レール１４の端部から若干突出している。
【００１７】
図７に示されるように、側面パネル８、９の前面パネル７の近傍にＬ字形のロック解除バー２５をピン２６により回動自在に軸支する。ロック解除バー２５は、手掛け部２７と作用部２８とがほぼＬ字形に配置され、作用部２９は、支持レール１４の端部から若干突出するロック解除プレート２４と当接するように位置させる。尚、手掛け部と作用部がＬ字形に配置するとは、図８に示す関係に構成されていることを意味し、ロック解除バーの形状をＬ字形に限定するものではない。手掛け部２７を上方に持ち上げると、作用部２８がロック解除プレート２４の端部を押し、ロック解除プレート２４の他端がロックプレート２０の係合開口２２と係合突起２１の係合を解除し、支持レール１４と中間レール１３との第２ロック機構１６を解除する。第２ロック機構１６が解除された支持レール１４を押し込み方向に移動させると、図５（ｃ）に示されるように、支持レール１４の端部により中間レール１３と固定レール１２との第１ロック機構１５を解除する。
【００１８】
図８、図９は、ロック解除バー２５の他の実施形態を示すものである。図８は手掛け部２７の先端を曲線状に下向きに曲げた指掛け部２９を形成し、ロック解除作業を容易にしたものであり、図９は、手掛け部２７と作用部２８の内側を斜面として、ロック解除作業を容易としたものである。
【００１９】
本発明のロック解除機構２３は、側面パネル８，９の前面パネル７の近傍の上部に配置され、ロック解除バー２５の手掛け部２７を上方に持ち上げるだけで簡単にロックが解除されるので、使い勝手のよいロック解除機能付き踏み台兼用引出し式収納庫とすることができる。
【００２０】
【発明の効果】
本発明は引き戸棚本体から引出し可能にスライドレールで支持され、下面にキャスターを取付けた引出し式収納庫と、前記引出し式収納庫の上面の一端に開閉自在に連結される踏み板と、前記引出し式収納庫を引出した状態に保持する前記スライドレールに設置されるロック機構を備える構成により、システムキッチン等に装備され、高い棚部に収納された食器等を取り出す場合、引出しが容易で、安定した踏み台として機能し、更に、踏み板を開閉することにより収納庫としても機能するので、使い勝手のよい引出し式収納庫を提供できる。
また、ロック解除機構は、前記スライドレールの先端に備えたロック解除バーを前記引出し式収納庫の上方に引上げることでロック状態を解除する構成とすることにより、ロック解除の際、指先を挟む恐れがなく、引出しの上方から両手を延ばし、且つ不自然な姿勢を取ることなくロックを解除して引出し式収納庫を引き戸棚本体に押し入れることが可能となる。
また、ロック解除バーは、手掛け部と作用部とをほぼＬ字形に配置し、前記手掛け部は前記引出し式収納庫の前面パネル近傍の側面パネル上部に設ける構成により、シンプルな構成のロック解除機構を提供でき、ロック解除の際、指先を挟む恐れがなく、引出しの上方から両手を延ばし、且つ不自然な姿勢を取ることなくロックを解除して引出し式収納庫を引き戸棚本体に押し入れることが可能となる。
さらに、ロック解除バーの手掛け部の先端に曲線状の指掛け部を形成する構成により、ロック解除の際、指先がロック解除バーに確実に且つ容易に掛かり指先を挟む恐れがなく、引出しの上方から両手を延ばし、且つ不自然な姿勢を取ることなくロックを解除して引出し式収納庫を引き戸棚本体に押し入れることが可能となる。
【図面の簡単な説明】
【図１】本発明のロック解除機能付き踏み台兼用引出し式収納庫をシステムキッチンの収納棚に組み込んだ一実施形態の概略図。
【図２】本発明のロック解除機能付き踏み台兼用引出し式収納庫の一部側面図。
【図３】本発明のロック解除機能付き踏み台兼用引出し式収納庫の一部正面図。
【図４】本発明のスライドレールの一実施形態を示す図。
【図５】（ａ）（ｂ）（ｃ）本発明の第１ロック機構の一実施形態を示す図。
【図６】（ａ）（ｂ）（ｃ）本発明の第２ロック機構の一実施形態を示す図。
【図７】本発明のロック解除バーの一実施形態を示す図。
【図８】本発明のロック解除バーの一実施形態を示す図。
【図９】本発明のロック解除バーの一実施形態を示す図。
【符号の説明】
１：ロック解除機能付き踏み台兼用引出し式収納庫
２：収納棚
３：引き戸棚本体
４：スライドレール
５：キャスター
６：踏み板
７：前面パネル
８、９：側面パネル
１０：後面パネル
１１：底面パネル
１２：固定レール
１３：中間レール
１４：支持レール
１５：第１ロック機構
１６：第２ロック機構
１７：支持軸
１８：ロック金具
１９：案内突起
２０：ロック用プレート
２１：係合突起
２２：係合開口
２３：ロック解除機構
２４：ロック解除プレート
２５：ロック解除バー
２６：ピン
２７：手掛け部
２８：作用部
２９：指掛け部
【図１】
2004298433.tif 000003
【図２】
2004298433.tif 000004
【図３】
2004298433.tif 000005
【図４】
2004298433.tif 000006
【図５】
2004298433.tif 000007
【図６】
2004298433.tif 000008
【図７】
2004298433.tif 000009
【図８】
2004298433.tif 000010
【図９】
2004298433.tif 000011